(57)【要約】【課題】火災時において、断熱機能を確保できるようにしたフロアハッチ用蓋及びフロアハッチ用蓋の施工方法を提供する。【解決手段】フロアハッチ用蓋は、フロア１００に設けられた開口部１０１であって、受部１１０を周縁に有する開口部１０１を閉じるもので、受部１１０に固定される枠状のフレーム１１と、フレーム１１に囲まれる断熱部材１２と、断熱部材１２の上面又は下面の少なくともいずれか一方であって、火元側になる断熱部材１２の上面又は下面に重ねられる下側カバー１３とを備えている。フレーム１１は、下側カバー１３を受ける支持片１１ｂを備えている。下側カバー１３の外周部がフレーム１１の支持片１１ｂ上にスライド可能に重ねられている。【選択図】図２
2015158104.tif 000002
【特許請求の範囲】
【請求項１】
フロアに設けられた開口部であって、受部を周縁に有する開口部を閉じるフロアハッチ用蓋において、
受部に固定される枠状のフレームと、該フレームに囲まれる断熱部材と、該断熱部材の上面又は下面の少なくともいずれか一方であって、火元側になる断熱部材の上面又は下面に重ねられるカバーとを備え、
前記フレームは、カバーを受ける支持片を備え、
前記カバーの外周部が前記フレームの支持片上に非連結状態で重ねられていることを特徴とするフロアハッチ用蓋。
【請求項２】
前記受部に固定軸が突設された場合において、
前記カバーは、該固定軸を挿通させる挿通部を備え、該挿通部は、熱膨張したカバーが前記固定軸に阻害されることなく、前記カバーがフレームの支持片上をスライド可能なように前記固定軸の外径よりも大きくされていることを特徴とする請求項１に記載のフロアハッチ用蓋。
【請求項３】
前記受部と前記フレームとの間に介在する断熱材を備えていることを特徴とする請求項１又は２に記載のフロアハッチ用蓋。
【請求項４】
枠状に形成されたフレームであって、内向きに延びる支持片を有するフレームを、フロアに設けられた開口部の周縁の受部に固定する工程と、フレームの支持片上にカバーを非連結状態で重ねる工程と、フレームに囲まれる断熱部材を配置する工程とを含んでいることを特徴とするフロアハッチ用蓋の施工方法。
【発明の詳細な説明】
【技術分野】
【０００１】
本発明は、フロアに設けられた開口部を閉じるフロアハッチ用蓋及びフロアハッチ用蓋を組み立てるフロアハッチ用蓋の施工方法に関する。
【背景技術】
【０００２】
建築物のフロアには、階下に通じるフロアハッチが適宜箇所に設けられている。フロアハッチは、フロアに設けられた開口部と、この開口部を閉じるフロアハッチ用蓋とを備えている（例えば特許文献１参照）。
【０００３】
開口部の周縁には、蓋の外周部を載せる受部が設けられている。受部は、例えばフロアの表面を窪ませた段差部によって形成されている。段差部は、連続する垂直面と水平面とによって画定されている。
【０００４】
蓋は、底板、天板、側板及び断熱材を備えている。底板の外周部が受部の水平面に載せられる。天板は、底板と間隔を空けて対向する。側板は、底板の外周と天板の外周を囲み、これらの両外周を拘束した状態に連結する。そして、底板、天板及び側板によって囲まれた閉鎖領域に断熱材が詰められる。この断熱材によって、階下と階上との断熱性が確保される。
【先行技術文献】
【特許文献】
【０００５】
【特許文献１】特開２０００−２４０２７５号公報
【発明の概要】
【発明が解決しようとする課題】
【０００６】
ところで、階下又は階上において火災が発生すると、火元側にある蓋の底板又は天板は、高温に曝されて熱膨張する。他方、火災が発生していない階上又は階下、すなわち、火元側でない天板又は底板は、高温に曝されないため熱膨張しない。ところが、底板と天板とは、側板によって拘束した状態で連結されているため、熱膨張する底板又は天板が凸曲面状に膨らむことで、蓋全体が反ってしまう。
【０００７】
そうすると、蓋の外周部が受部の水平面から離れてしまい、蓋と受部との間に隙間が生じる。この結果、熱気が階下から階上へ又は階上から階下へ伝わってしまう。すなわち、従来のフロアハッチでは、火災時において断熱機能を発揮できないものとなっている。
【０００８】
そこで、本発明は、火災時において、断熱機能を確保できるようにしたフロアハッチ用蓋及びフロアハッチ用蓋の施工方法を提供することを課題とする。
【課題を解決するための手段】
【０００９】
本発明に係るフロアハッチ用蓋は、フロアに設けられた開口部であって、受部を周縁に有する開口部を閉じるフロアハッチ用蓋において、受部に固定される枠状のフレームと、該フレームに囲まれる断熱部材と、該断熱部材の上面又は下面の少なくともいずれか一方であって、火元側になる断熱部材の上面又は下面に重ねられるカバーとを備え、前記フレームは、カバーを受ける支持片を備え、前記カバーの外周部が前記フレームの支持片上に非連結状態で重ねられていることを特徴としている。
【００１０】
このフロアハッチ用蓋によれば、フロアに設けられた開口部の周縁の受部にフレームが固定されることで、フロアの開口部が断熱部材とカバーによって閉じられた状態となる。そして、階下又は階上で火災が発生すると、火元側にあるカバーが高温に曝され、熱膨張する。しかし、カバーの外周部がフレームの支持片上に非連結の状態で重ねられ、拘束されていないことにより、カバーがフレームを押し付けることなく、断熱機能を発揮する状態に開口部を閉じた状態を維持する。
【００１１】
ここで、本発明に係るフロアハッチ用蓋の一態様として、前記受部に固定軸が突設された場合において、前記カバーは、該固定軸を挿通させる挿通部を備え、該挿通部は、熱膨張したカバーが前記固定軸に阻害されることなく、前記カバーがフレームの支持片上をスライド可能なように前記固定軸の外径よりも大きくされている構成を採用することができる。
【００１２】
このフロアハッチ用蓋は、受部に突設された固定軸がカバーに備えられた挿通部を挿通することで、カバーが受部から外れないようにすることができる。そして、挿通部が固定軸の外径よりも大きくされていることで、火災時において熱膨張するカバーは、固定軸によって阻害されることなく、カバーの外周部がフレームの支持片上を面状又は線状に重なった状態で移動することができる。
【００１３】
また、本発明に係るフロアハッチ用蓋の他態様として、前記受部と前記フレームとの間に介在する断熱材を備えている構成を採用することができる。このフロアハッチ用蓋によれば、受部とフレームとの間に介在する断熱材によって受部とフレームとの間の隙間をなくし、フロアハッチの断熱機能を向上させることができる。
【００１４】
また、本発明に係るフロアハッチ用蓋の施工方法は、枠状に形成されたフレームであって、内向きに延びる支持片を有するフレームを、フロアに設けられた開口部の周縁の受部に固定する工程と、フレームの支持片上にカバーを非連結状態で重ねる工程と、フレームに囲まれる断熱部材を配置する工程とを含んでいることを特徴としている。
【００１５】
このフロアハッチの施工方法によれば、開口部を設けたフロアにおいて、フレーム、カバー、断熱部材を組み付け、蓋を完成させることができる。なお、フロアハッチ用蓋は、前記の工程順に限定されることなく、組み付けることができる。
【発明の効果】
【００１６】
本発明によれば、火災時において、断熱機能を確保できるようにしたフロアハッチ用蓋及びフロアハッチ用蓋の施工方法を提供することができる。
【図面の簡単な説明】
【００１７】
【図１】図１は、本発明に係るフロアハッチ用蓋の一実施形態を示し、図１（ａ）は平面図、図１（ｂ）は断面正面図である。
【図２】図２は、本発明に係るフロアハッチ用蓋の一実施形態を示し、図１（ｂ）のＩＩ部の拡大断面正面図である。
【発明を実施するための形態】
【００１８】
本発明に係るフロアハッチ用蓋及びフロアハッチ用蓋の施工方法の一実施形態について図１（ａ）、図１（ｂ）及び図２を参照しながら説明する。
【００１９】
フロアハッチ用蓋は、フロア１００に設けられた四角形状の開口部１０１を閉じる中蓋１０と外蓋２０とを備え、必要時に開口部１０１を開けることができるようにされている。中蓋１０は、例えば階下で火災が発生した時に、火災による熱気が階上に伝わらないようにする断熱機能を備えている。
【００２０】
この中蓋１０についての詳細な説明に先立って、まず、開口部１０１について説明する。開口部１０１の周縁には、中蓋１０と外蓋２０の外周部を載せる受部１１０が設けられている。受部１１０は、連続する垂直面と水平面とを有する階段状に窪ませた段差部（採番せず）によって形成されている。
【００２１】
また、下側の段差部と上側の段差部とには、階段状の下側受枠１２０と上側受枠１３０とが固定されている。下側受枠１２０は、断面正面視がクランク状に形成され、下側水平部１２１と垂直部１２２と上側水平部１２３を連続一体的に備えている。そして、下側受枠１２０の下側水平部１２１からは、平面視で一定間隔ごとに固定軸１４０が突出している。固定軸１４０は、例えばボルト１４１とナット１４２で構成され、ボルト１４１の頭部が下側段差部内に埋め込まれ、ボルト１４１の軸部が垂直上向きとされている。
【００２２】
そして、上側受枠１３０も断面正面視がクランク状に形成され、下側水平部１３１と下側垂直部１３２と上側水平部１３３と上側垂直部１３４を連続一体的に備えている。下側受枠１２０の上側水平部１２３と上側受枠１３０の下側水平部１３１とは、間隔をもって対向し、この部分に受部１１０に沿う枠状の断熱部材１５０が介在している。断熱部材１５０は、例えばセラミックファイバーのような耐熱温度が高い材料が使用される。なお、断熱部材１５０は、使用状況によっては備えなくてもよい。
【００２３】
このように下側受枠１２０と上側受枠１３０とが非連続とされる、もしくは、非連続とされた両者１２０，１３０間に断熱部材１５０が介在することで、この受部１１０は、階下で発生した火災によって、下側受枠が加熱されたとしても、この熱が上側受枠１３０に伝熱されにくくされている。
【００２４】
そして、下側受枠１２０の上側水平部１２３と上側受枠１３０の下側水平部１３１とには、平面視で一定間隔ごとに連通孔１２３ａ，１３１ａが形成されている。この両連通孔１２３ａ，１３１ａに締結部材１６０を囲った筒体１７０が通されることで、断熱部材１５０が下側受枠１２０の上側水平部１２３と上側受枠１３０の下側水平部１３１との間から抜け落ちないようにされている。締結部材１６０は、例えばボルト１６１とナット１６２によって構成される。
【００２５】
そして、フロアハッチ用蓋の中蓋１０は、受部１１０の下側受枠１２０に嵌め込まれる枠状のフレーム１１と、このフレーム１１に囲まれる断熱部材１２と、この断熱部材１２の上面又は下面の少なくともいずれか一方（この実施形態では階下に火元があるとして、下面）に重ねられるカバー（以下、「下側カバー」という。）１３とを備えている。
【００２６】
フレーム１１は、下側受枠１２０に嵌る平面視がロ字形、断面正面視がコ字形とされ、ウェブ１１ａと、このウェブ１１ａの下端から内向きに突出した支持片（以下、「下側支持片」という。）１１ｂと、ウェブ１１ａの上端から内向きに突出した支持片（以下、「上側支持片」という。）１１ｃとを連続一体的に備えている。
【００２７】
このフレーム１１の内側に断熱部材１２と下側カバー１３が配置される。断熱部材１２は、例えばセラミックファイバーのような耐熱温度が高い材料が採用される。セラミックファイバーとしては、柔軟な不定形な状態やボードのような定形性の状態のものが提供されている。断熱部材１２が不定形なセラミックファイバーであっても、下側カバー１３上に載せられることで、フレーム１１から脱落しないようにされている。また、断熱部材１２がボードのようなセラミックファイバーであっても、下側カバー１３に載せられることで、撓まないようにされる。
【００２８】
そして、下側カバー１３は、その外周部がフレーム１１の下側支持片１１ｂ上に載せられる。この下側カバー１３は、通常の状態で撓むことなく平坦な状態を維持できるように、鋼材によって薄板状に成形されている。ただし、下側カバー１３は、メッシュ状に成形したものとしてもよい。いずれにしても、下側カバー１３は、階下で火災が発生したときに、熱膨張する。
【００２９】
そして、下側カバー１３の外周部とフレーム１１の下側支持片１１ｂとの間には、断熱材１４が介在している。この断熱材１４も、例えばセラミックファイバーのような耐熱温度が高い材料が採用されるが、下側カバー１３とフレーム１１の下側支持片１１ｂとの隙間を埋める必要最小限の厚さとされる。また、この断熱材１４は、加熱されたときに、膨張する性質を備えていることが好ましい。
【００３０】
そして、断熱部材１２と下側カバー１３と断熱材１４とが重なった状態の厚さは、フレーム１１の下側支持片１１ｂと上側支持片１１ｃとの間隔と同じとされている。したがって、断熱部材１２の上面外周部がフレーム１１の上側支持片１１ｃに重なる状態とされている。また、断熱部材１２の周端面がフレーム１１のウェブ１１ａと接する状態とされる。
【００３１】
そして、中蓋１０は、断熱部材１２の上側に断熱部材１２と隙間を空けて覆うカバー（以下、「上側カバー」という。）１５を備えている。上側カバー１５の上面の例えば４か所（図１では２か所のみ図示）には、ハンドル１０ｈが取り付けられている。この上側カバー１５の外周部とフレーム１１の上側支持片１１ｃとの間には、セラミックファイバーのような断熱材１６が介在している。
【００３２】
そして、フレーム１１の下側支持片１１ｂ及び上側支持片１１ｃと上側カバー１５とには、受部１１０の下側の段差部から突出したボルト１４１の軸部が挿通する取付穴１１ｄ，１１ｄ，１５ｄが形成されている。ただし、ボルト１４１の軸部は、断熱部材１２から隔絶するための筒体１７によって囲まれている。したがって、この取付穴１１ｄ，１１ｄ，１５ｄの内径は、筒体１７の外径と同じとされている。
【００３３】
なお、ボルト１４１の軸部は、筒体１７に囲まれないようにしてもよく、この場合は、フレーム１１の下側支持片１１ｂ及び上側支持片１１ｃと、上側カバー１５に形成された挿通部１１ｄ，１１ｄ，１５ｄの内径は、ボルト１４１の軸の外径と同じとされる。
【００３４】
そして、下側カバー１３には、受部１１０の下側段差部から突出したボルト１４１を囲む筒体１７を挿通する挿通部１３ｄが形成されている。この挿通部１３ｄは、下側カバー１３のエッジから入り込む切欠状に形成される。したがって、この挿通部１３の幅は筒体１７の外径よりも大きく、また、火災時に下側カバー１３が熱膨張できるようにされている。すなわち、下側カバー１３のエッジから入り込む切欠の深さは、フレーム１１のウェブ１１ａと筒体１７との間隔よりも大きくされ、下側カバー１３の外周部がフレーム１１の下側支持片１１ｂ上を移動できるように非連続の状態で重ねられている。
【００３５】
そして、ボルト１４１の軸部の先端部は、上側カバー１５よりも突出し、ナット１４２が締結される。このナット１４２と上側カバー１５との間にも、断熱材１８が介在し、上側カバー１５の挿通部１５ｄが断熱材１８によって塞がれる。また、フレーム１１の下側支持片１１ｂと下側受枠１２０の下側水平部との間にも断熱材１９が介在している。この断熱材１９によって、フレーム１１の下側支持片１１ｂと下側受枠１２０の下側水平部１２１との間に隙間が生じないようにされている。
【００３６】
そして、外蓋２０は、上側受枠１３０に嵌め込まれ、複数枚によって開口部１０１を塞ぐ。外蓋２０の上面は、フロア１００の上面と同一面とされている。外蓋２０の下面外周は、ゴムなどのクッション材３０を介して上側受枠１３０の上側水平部上に載せられる。この外蓋２０と中蓋１０との間には、空気層４０が設けられる。
【００３７】
上記のような中蓋１０は、組み立てられた状態で、フロア１００に設けられた開口部１０１を閉じられてもよいし、パーツに分解された状態で、開口部１０１を設けたフロア１００まで運び込み、このフロア１００において組み立ててもよい。
【００３８】
ここで、中蓋１０をフロア１００で組み立てる方法を含めて蓋の施工方法について説明する。最初にフレーム１１の下側支持片１１ｂ上に断熱材１４と下側カバー１３の外周部を載せておく。そして、フレーム１１の下側支持片１１ｂ及び上側支持片１１ｃの取付穴１１ｄ，１１ｄと下側カバー１３の挿通部１３ｄに筒体１７を挿通し、下側カバー１３上に断熱部材１２を載せる。
【００３９】
次に、これを受部１１０の下側受枠１２０内に嵌め込むとともに、固定軸１４０のボルト１４１を筒体１７内に挿通させる。下側受部１２０の下側水平部１２１上には、断熱部材１９が載せられている。そして、ボルト１４１の先端部がフレーム１１の上側支持片１１ｃから突出する。
【００４０】
そして、フレーム１１の上側支持片１１ｃ上に断熱材１６を載せた後、上側カバー１５を断熱部材１２に被せる。そして、上側カバー１５の挿通部の部分に断熱材１８を載せた後、ボルト１４１の先端部にナット１４２を締結する。ボルト１４１の軸部にナット１４２が締結されることで、中蓋１０が受部１１０に固定され、下方からの風圧を受けても、受部１１０から外れないようにされる。
【００４１】
中蓋１０の上側カバー１５は、上側受枠１３０の下側水平部１３１とほぼ同一面に位置する。そして、上側受枠１３０の上側水平部１３３に外蓋２０の外周部が載せられる。このようにして、フロア１００の開口部１０１が中蓋１０と外蓋２０とによって閉じられる。そして、フロア１００の上面と外蓋２０の上面とが同一面とされることで、上蓋が通行の邪魔になることがないようにされている。
【００４２】
そして、必要に応じて、外蓋２０を上側受枠１３０から外し、中蓋１０を固定したナット１４２をボルト１４１から外し、中蓋１０を下側受枠１２０から外すことで、開口部１０１を開口することができる。
【００４３】
ただし、通常は、中蓋１０と外蓋２０とによってフロア１００の開口部１０１が閉じられている。したがって、階下において火災が発生したとしても、火災による熱気が中蓋１０の断熱部材１２と空気層４０とによって階上へ行かないように遮断される。
【００４４】
このとき、下側カバー１３が高温に曝され、熱膨張する。しかし、下側カバー１３の挿通部１３ｄが筒体１７の外径よりも大きくされ、下側カバー１３の外周部がフレーム１１の下側支持片１１ｂ上を面状又は線状に重なった状態で移動することができる。仮に、下側カバー１３が下向きに膨れる凸曲面状になったとしても、下側カバー１３と挿通部１３ｄのエッジが接触し続けることで、下側カバー１３とフレーム１１の下側支持片１１ｂとの間に隙間が生じることはない。
【００４５】
なお、断熱材１４が熱膨張する機能を有している場合にあっては、下側カバー１３がフレーム１１の下側支持片１１ｂから浮いても、この浮いた下側カバー１３とフレーム１１の下側支持片１１との間に膨張した断熱材１４が介在することによって断熱性を高めることができる。
【００４６】
したがって、この中蓋１０の外周部と開口部１０１の下側受枠１２０とが接合した状態を維持する。このため、このフロア１００ハッチは、階下で火災時において断熱機能を発揮し続けることができる。
【００４７】
なお、本発明は、上記実施の形態に限定することなく、種々変更することができる。上記実施の形態では、階下に火元があるとして、下側カバー１３がフレーム１１の下側支持片１１ｂ上をスライド可能とした。しかし、階上に火元がある場合は、上側カバー１５がフレーム１１の上側支持片１１ｃ上をスライド可能としてもよい。また、階下と階上に火元がある場合は、下側カバー１３がフレーム１１の下側支持片１１ｂ上をスライド可能とし、上側カバー１５がフレーム１１の上側支持片１１ｃ上をスライド可能としてもよい。
【００４８】
また、フロア１００によっては、開口部１０１の受部１１０は、１段の段差部のみ形成される。この場合は、上記の中蓋１０が外蓋２０を兼用するものとなる。この場合の中蓋１０は、ボルト１４１の先端部が上側カバー１５から突出せず、また、上側カバー１５は、踏まれても変形しないような強度を有するものとされる。
【００４９】
また、上記実施の形態では、フレーム１１は、上側支持片１１ｃを備えたが、上側支持片１１ｃを備えず、下側支持片１１ｂとウェブ１１ａとを備えた断面Ｌ字形としてもよい。さらに、フレーム１１は、ウェブ１１ａから外向きに固定片（図示せず）を設けたものとしてもよい。また、上記実施の形態では、フレーム１１は、切欠状の挿通部１３ｄを備えた。しかし、挿通部１３ｄは、貫通穴状に形成してもよい。
【００５０】
また、上記実施形態での中蓋１０の施工方法は、中蓋１０を組み立て、その組み立てられた中蓋１０を受部１１０に嵌め込んだ。しかし、下側カバー１３をセットしたフレーム１１を受部１１０に嵌め込み、その後、フレーム１１内に断熱部材１２をセットし、その後、上側カバー１５をセットしてもよいし、フレーム１１内に下カバーと断熱部材１２をセットした状態のものを受部１１０に嵌め込み、その後、上側カバー１５をセットしてもよい。
【符号の説明】
【００５１】
１０…………蓋（中蓋）
１１…………フレーム
１１ｂ………支持片（下側支持片）
１１ｄ………取り付け穴
１２…………断熱部材
１３…………カバー（下側カバー）
１３ｄ………挿通部
１４…………断熱材
１６…………断熱材
１００………フロア
１０１………開口部
１１０………受部
【図１】
2015158104.tif 000003
【図２】
2015158104.tif 000004